(57)【要約】【課題】コンパクト化が進んだボールジョイントにも装着出来る、組み付け性が良好なボールジョイント用ダストカバーを提供することを目的とする。【解決手段】ボールスタッドの一端に形成された球頭部がソケット内に保持され、前記ボールスタッドの他端の軸はナックルに締め付け固定され、補強環が埋設された一端大径開口部が前記ソケットの外周面に固定保持され、他端小径開口部が前記軸に保持されたボールジョイント用ダストカバーにおいて、前記補強環が、前記ソケット外周面に形成されたネジ部と螺合するネジ溝内周面を備えていることを特徴とする。【選択図】図１
2014055598.tif 000002
【特許請求の範囲】
【請求項１】
ボールスタッド（１）の一端に形成された球頭部（２）がソケット（３）内に保持され、前記ボールスタッド（１）の他端の軸（４）はナックル（５）に締め付け固定され、補強環（９）が埋設された一端大径開口部（８）が前記ソケット（３）の外周面に固定保持され、他端小径開口部（７）が前記軸（４）に保持されたボールジョイント用ダストカバー（６）において、
前記補強環（９）が、前記ソケット（３）外周面に形成されたネジ部（３１）と螺合するネジ溝内周面（９１）を備えていることを特徴とするボールジョイント用ダストカバー。
【請求項２】
前記ネジ部（３１）を形成した前記ソケット（３）外周面に、前記補強環（９）の位置決め用段部（３２）を設けたことを特徴とする請求項１記載のボールジョイント用ダストカバー。
【請求項３】
前記補強環（９）の前記ネジ部（３１）が、前記ソケット（３）外周面側に露出した円筒状内周面に形成されていることを特徴とする請求項１または２記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては図４に記載のボールジョイント用ダストカバーが知られている。（特許文献１）
【０００３】
この種ボールジョイント用ダストカバーのシール構造は、ボールスタッド１００の一端に形成された球頭部２００がソケット３００内に保持されている。
そして、ボールスタッド１００の他端の軸４００は、ナックル５００に締め付け固定されている。
一方、弾性材製ダストカバー６００の補強環９００が埋設された一端大径開口部８００が、ソケット３００の外周面に形成された環状の段部３２０に保持された構成となっている。
この補強環９００は、ソケット３００外周面と係合する円錐台形状部９０１と、２層に折り曲げられたフランジ部９０２とより構成されている。
【０００４】
この種、従来の弾性材製ダストカバー６００は、図５に示す様に、圧入冶具Ｐにより補強環９００のフランジ部９０２を押圧する事により、ソケット３００に形成した段部３２０に圧入して、装着されていた。
【０００５】
しかし、近年、ボールジョイントのコンパクト化の要望が強く、具体的には図６に示す様な、ソケット３００の径を極力小さくした結果、一端大径開口部８００が装着される段部３２０を設けるスペースが制限された。
【０００６】
この結果、ソケット３００に埋設した補強環９００のフランジ部９０２が極めて小さくなり、圧入冶具により押圧するのが困難となる（ダストカバー組み付け性の悪化）問題を惹起した。
そこで、この様なコンパクト化が進んだボールジョイントにも装着出来る弾性材製ダストカバーの出現が期待されている。
【先行技術文献】
【特許文献】
【０００７】
【特許文献１】特開昭６２−１３７４０８号公報
【発明の開示】
【発明が解決しようとする課題】
【０００８】
本発明は、このような課題に鑑みてなされたものであり、コンパクト化が進んだボールジョイントにも装着出来る、組み付け性が良好なボールジョイント用ダストカバーを提供することを目的とする。
【課題を解決するための手段】
【０００９】
本発明のボールジョイント用ダストカバーは、ボールスタッドの一端に形成された球頭部がソケット内に保持され、前記ボールスタッドの他端の軸はナックルに締め付け固定され、補強環が埋設された一端大径開口部が前記ソケットの外周面に固定保持され、他端小径開口部が前記軸に保持されたボールジョイント用ダストカバーにおいて、前記補強環が、前記ソケット外周面に形成されたネジ部と螺合するネジ溝内周面を備えていることを特徴とする。
【発明の効果】
【００１０】
本発明は、以下に記載されるような効果を奏する。
請求項１記載の発明のボールジョイント用ダストカバーによれば、補強環が、ソケット外周面に形成されたネジ部と螺合するネジ溝内周面を備えている構成とした為、コンパクト化が進んだボールジョイントにも装着出来ると共に、組み付け性が良好である。
更に、請求項２記載の発明のボールジョイント用ダストカバーによれば、ネジ部を形成したソケット外周面に、補強環の位置決め用段部を設ける構成とした為、ダストカバーを規定の位置に正確に装着できる。
【００１１】
更に、請求項３記載の発明のボールジョイント用ダストカバーによれば、補強環のネジ部が、ソケット外周面側に露出した円筒状内周面に形成ネジ溝と成っている為、ソケット外周面に形成されたネジ部と強固に螺合出来る為、ダストカバーがソケットから脱落することを効果的に阻止出来る。
【図面の簡単な説明】
【００１２】
【図１】本発明に係る、ボールジョイント用ダストカバーの縦断面図。
【図２】本発明に係る、装着前のダストカバー単体の縦断面図。
【図３】本発明に係る、ダストカバーが装着前のボールジョイントの部分縦断面図。
【図４】従来技術に係る、ボールジョイント用ダストカバーの縦断面図。
【図５】図４に示したダストカバーが、圧入冶具で押し込まれる状態を示した縦断面図。
【図６】ダストカバーが装着前の、コンパクト化したボールジョイントの部分縦断面図。
【発明を実施するための形態】
【００１３】
以下、本発明を実施するための形態について説明する。
図１乃至図３に示される様に、本発明に係るボールジョイント用ダストカバーは、ボールスタッド１の一端に形成された球頭部２がソケット３内に保持され、このボールスタッド１の他端の軸４はナックル５に締め付け固定され、補強環９が埋設された一端大径開口部８がソケット３の外周面に固定保持され、他端小径開口部７が軸４に保持された基本構成を備えている。
【００１４】
この補強環９は、金属材製で断面略Ｌ字形状を呈している。
そして、補強環９のソケット３外周面側に露出した円筒状内周面が、ネジ溝内周面９１と成っている。
このネジ溝内周面９１は、ソケット３外周面に形成されたネジ部３１と螺合する。
また、ソケット３のネジ部３１を形成した外周面には、補強環９の位置決め用段部３２を設けている。
【００１５】
弾性材製ダストカバー６をボールジョイントに装着する場合は、弾性材製ダストカバー６とボールジョイントの間で相対回転をさせることにより、補強環９のネジ溝内周面９１とソケット３外周面に形成されたネジ部３１が螺合する事により、組み付けることが出来る。
【００１６】
この様に、図１及び図３に示す様なコンパクト化したボールジョイントにも、弾性材製ダストカバー６を容易かつ確実に装着できる。
【００１７】
本実施形態では、ソケット３のネジ部３１を形成した外周面には、補強環９の位置決め用段部３２を設けて、弾性材製ダストカバー６を規定の位置に正確に装着できる態様としているが、更にコンパクト化したボールジョイントにする為に、ソケット３の外周面に位置決め用段部３２を無くした円筒状外周面にネジ部３１を形成する態様としても良い。
この場合は、弾性材製ダストカバー６とボールジョイントの間の装着時の相対回転数を規定することにより、正確に装着できる。
【００１８】
また、本実施形態では、補強環９の材質として金属材を使用したが、樹脂材で有っても良い。
また、ネジ部３１及びネジ溝内周面９１のネジ形状は、円周上連続する溝としたが、円周上不連続の溝として、ワンタッチで螺合出来る態様としても良い。
【００１９】
また、ソケット３の外周面に形成したネジ部３１は、予め切削加工により形成しておく事も可能であるが、ネジ部３１を形成したスリーブをソケット３の外周面に嵌合して設ける形としても良い。
【００２０】
また、弾性材製ダストカバー６の材質は、クロロプレン等のゴム状弾性材や、ポリエステル系エラストマー、熱可塑性ポリウレタン等の熱可塑性エラストマーから、適宜用途に合わせ選択して使用される。
【００２１】
また、弾性材製ダストカバー６内には、グリースが封入されている。
【００２２】
一方、弾性材製ダストカバー６の他端小径開口部７には、補強環１０が埋設されていると共に、密封性を維持するためのリップ部が形成されている。
【００２３】
また、本発明は上述の発明を実施するための最良の形態に限らず本発明の要旨を逸脱することなくその他種々の構成を採り得ることはもちろんである。
【産業上の利用可能性】
【００２４】
自動車の懸架装置及び操舵装置等に使用されるボールジョイントに使用できる。
【符号の説明】
【００２５】
１    ボールスタット
２    球頭部
３    ソケット
４    軸
５    ナックル
６    弾性材製ダストカバー
７    他端小径開口部
８    一端大径開口部
９    補強環
３１  ネジ部
３２  位置決め用段部
９１  ネジ溝内周面
【図１】
2014055598.tif 000003
【図２】
2014055598.tif 000004
【図３】
2014055598.tif 000005
【図４】
2014055598.tif 000006
【図５】
2014055598.tif 000007
【図６】
2014055598.tif 000008